(57)【要約】      （修正有）【課題】シガープラグがシガーソケットに嵌め込まれた状態において自動車の振動などでシガープラグがシガーソケットから抜け落ちないようにすることができるシガープラグ用の部材であるシガープラグ用シート及びこのシートを用いたシート付シガープラグを提供する。【解決手段】シート付シガープラグは、シガープラグ用シート１０の開口Ｋがシガープラグの棒状のプラス電極に嵌め込まれ、シート中央部１０ｃが先端面に当接し、第１のシート部１０ａが第１の円周面に当接し及び第２のシート部１０ｂが第２の円周面に当接した状態のものである。シガープラグ用シート１０を用いたシガープラグ用シートは、シガーソケットに嵌め込まれた状態において、シート付シガープラグが自動車の振動などにより、シガーソケットから抜け落ちないようにすることができる。【選択図】図１
0003223708.tif 000002
【実用新案登録請求の範囲】
【請求項１】
自動車のシガーソケットに嵌め込むことで、電力が供給されるように形成されているシガープラグに用いる部材であるシガープラグ用シートであって、
第１のシート部と、第２のシート部と、前記第１のシート部と前記第２のシート部の間に設けられており開口を有するシート中央部を有し、
前記第１のシート部と前記シート中央部と前記第２のシート部は、一体的な板状に形成されており、
前記第１のシート部と前記第２のシート部と前記シート中央部は、予め定められた範囲の厚さを有し、
前記第１のシート部と前記第２のシート部は、予め定められた範囲の長手方向の長さを有し、
前記第１のシート部と前記第２のシート部は、予め定められた範囲の短手方向の長さを有し、
前記シート中央部は、予め定められた範囲の直径を有し、
前記開口は、予め定められた範囲の直径を有していることを特徴とするシガープラグ用シート。
【請求項２】
前記予め定められた厚さの範囲は、０．２ｍｍから０．６ｍｍであり、
前記予め定められた長手方向の長さの範囲は、４０ｍｍから４６ｍｍであり、
前記予め定められた短手方向の長さの範囲は、８ｍｍから１２ｍｍであり、
前記予め定められたシート中央部の直径の範囲は、１３ｍｍから１７ｍｍであり、
前記予め定められた開口の直径の範囲は、５ｍｍから９ｍｍであることを特徴とする請求項１に記載のシガープラグ用シート。
【請求項３】
前記シガープラグに、請求項１または請求項２に記載のシガープラグ用シートを用いたシート付シガープラグであって、
前記シガープラグは、円筒状の本体部と前記本体部の先端部に設けられた棒状のプラス電極と前記本体部の中央部に対向するように設けられた一対のバネ状のマイナス電極を有し、
前記本体部は、先端部の先端面と、前記一対のマイナス電極の間の第１の円周面と前記第１の円周面に対向する第２の円周面を有し、
前記シガープラグ用シートの前記開口が、前記棒状のプラス電極に嵌め込まれ、前記シート中央部が前記先端面に当接し、前記第１のシート部が、前記第１の円周面に当接し、及び前記第２のシート部が、前記第２の円周面に当接した状態で、前記シガーソケットに嵌め込まれるように形成されていることを特徴とするシート付シガープラグ。
【考案の詳細な説明】
【技術分野】
【０００１】
本考案は、シガープラグ用シート及びシート付シガープラグに関する。
【背景技術】
【０００２】
シガーソケットは、タバコに火を付けるためのシガーライターとセットで用いられており、シガーライターは、シガーソケットに装着し、シガーライターを押すことによりコイル状に巻かれた電熱線に通電し赤熱が完了すると押し戻され、押し戻されたシガーライターを引き抜き、タバコなどに着火するものである。現状、このようなシガーライターの使用が減少し、本来のタバコに火を付けるという役割はほとんどなくなり、シガーソケットからの電源で電気製品を使用するためのシガープラグが普及している。
【先行技術文献】
【特許文献】
【０００３】
【特許文献１】特開２００７−１９１１３１号公報
【考案の概要】
【考案が解決しようとする課題】
【０００４】
上記のシガープラグは、シガーソケットに嵌め込まれた状態において、シガープラグの電気的接点であるプラス電極と一対のマイナス電極が、シガーソケットに接触する構造であるが、自動車の振動などによって、シガープラグが、シガーソケットから抜け落ち易いという問題があり、例えば、シガープラグにハーネステープなどを巻くことなどで対応しているが充分な対応ではなく、より簡易で確実なものが求められていた。
【０００５】
本考案は、こうした点に鑑みてなされたものであり、シガープラグがシガーソケットにはめ込まれた状態において自動車の振動などでシガープラグがシガーソケットから抜け落ちないようにすることができるシガープラグ用の部材であるシガープラグ用シート及びこのシートを用いたシート付シガープラグを提供することである。
【課題を解決するための手段】
【０００６】
上記課題を解決するために、本考案に係るシガープラグ用シートは、自動車のシガーソケットに嵌め込むことで、電力が供給されるように形成されているシガープラグに用いる部材であるシガープラグ用シートであって、第１のシート部と、第２のシート部と、前記第１のシート部と前記第２のシート部の間に設けられており開口を有するシート中央部を有し、前記第１のシート部と前記シート中央部と前記第２のシート部は、一体的な板状に形成されており、前記第１のシート部と前記第２のシート部と前記シート中央部は、予め定められた範囲の厚さを有し、前記第１のシート部と前記第２のシート部は、予め定められた範囲の長手方向の長さを有し、前記第１のシート部と前記第２のシート部は、予め定められた範囲の短手方向の長さを有し、前記シート中央部は、予め定められた範囲の直径を有し、前記開口は、予め定められた範囲の直径を有していることを特徴とする。
【０００７】
本考案に係るシガープラグ用シートの態様について、前記予め定められた厚さの範囲は、０．２ｍｍから０．６ｍｍであり、前記予め定められた長手方向の長さの範囲は、４０ｍｍから４６ｍｍであり、前記予め定められた短手方向の長さの範囲は、８ｍｍから１２ｍｍであり、前記予め定められたシート中央部の直径の範囲は、１３ｍｍから１７ｍｍであり、前記予め定められた開口の直径の範囲は、５ｍｍから９ｍｍであることが好ましい。
【０００８】
上記課題を解決するために、本考案に係るシート付シガープラグは、前記シガープラグに、請求項１または請求項２に記載のシガープラグ用シートを用いたシート付シガープラグであって、前記シガープラグは、円筒状の本体部と前記本体部の先端部に設けられた棒状のプラス電極と前記本体部の中央部に対向するように設けられた一対のバネ状のマイナス電極を有し、前記本体部は、先端部の先端面と、前記一対のマイナス電極の間の第１の円周面と前記第１の円周面に対向する第２の円周面を有し、前記シガープラグ用シートの前記開口が、前記棒状のプラス電極に嵌め込まれ、前記シート中央部が前記先端面に当接し、前記第１のシート部が、前記第１の円周面に当接し、及び前記第２のシート部が、前記第２の円周面に当接した状態で、前記シガーソケットに嵌め込まれるように形成されていることを特徴とする。
【考案の効果】
【０００９】
本考案によれば、シガープラグがシガーソケットにはめ込まれた状態において、自動車の振動などでシガープラグがシガーソケットから抜け落ちないようにすることができるシガープラグ用の部材であるシガープラグ用シート、及びこのシートを用いたシート付シガープラグを提供することができる。
【図面の簡単な説明】
【００１０】
【図１】実施形態のシガープラグ用シートの一例を示す模式図である。
【図２】実施形態のシート付シガープラグの一例を示す模式図である。
【考案を実施するための形態】
【００１１】
以下、本考案のシガープラグ用シート及びシート付シガープラグの実施形態を、図１及び図２を用いて説明する。図１（ａ）は、シガープラグ用シート１０の一例を上から見た図を示しており、図１（ｂ）は、シガープラグ用シート１０の一例を横から見た図を示している。また、図２（ａ）は、シガープラグ２０の一例を示す図であり、図２（ｂ）は、シート付シガープラグ２０Ａを正面から見た一例を示す図であり、図２（ｃ）は、シート付シガープラグ２０Ａを横から見た一例を示す図である。なお、図に示すシガープラグの形状は一例であり、これに限定されず、本考案は、多様な形状のシガープラグに対応できるものである。
【００１２】
シガープラグ用シート１０は、自動車のシガーソケットに嵌め込むことで、電力が供給されるように形成されているシガープラグ２０に用いる部材である。シガープラグ用シート１０は、第１のシート部１０ａと、第２のシート部１０ｂと、第１のシート部１０ａと第２のシート部１０ｂの間に設けられているシート中央部１０ｃを有している。シート中央部１０ｃは、開口Ｋを有しており、この開口Ｋは、後述するとおりシガープラグ２０の棒状のプラス電極２０ａに嵌め込まれるように形成されている。上記の第１のシート部１０ａとシート中央部１０ｃと第２のシート部１０ｂは、一体的になるように形成されており、且つ、板状に形成されている。
【００１３】
シガープラグ用シート１０は、上記のとおりシガープラグ２０に用いる部材であり、シガープラグ２０に対応できる形状であることが望ましく、第１のシート部１０ａ、第２のシート部１０ｂ及びシート中央部１０ｃの厚さＬ１は、予め定められた範囲の厚さを有しており、第１のシート部１０ａ及び第２のシート部１０ｂの長手方向の長さＬ２は、予め定められた範囲の長さを有しており、第１のシート部１０ａ及び第２のシート部１０ｂの短手方向の長さＬ３は、予め定められた範囲の長さを有しており、シート中央部１０ｃの直径Ｌ４は、予め定められた範囲の直径を有しており及び開口Ｋの直径Ｌ５は、予め定められた範囲の直径を有している。
【００１４】
上記の各構成の予め定められた範囲は、実施形態において以下の範囲が望ましいが、これらは一例であり適宜最適な範囲で、シガープラグ用シート１０を設計すればよい。
【００１５】
以下、シガープラグ用シート１０の各構成の予め定められた範囲の一例について説明する。厚さＬ１の範囲は、０．２ｍｍから０．６ｍｍであり、長手方向の長さＬ２の範囲は、４０ｍｍから４６ｍｍであり、短手方向の長さＬ３の範囲は、８ｍｍから１２ｍｍであり、シート中央部の直径Ｌ４の範囲は、１３ｍｍから１７ｍｍであり及び開口Ｋの直径Ｌ５の範囲は、５ｍｍから９ｍｍである。
【００１６】
次に、実施形態のシート付シガープラグ２０Ａについて説明する。シート付シガープラグ２０Ａは、シガープラグ２０にシガープラグ用シート１０を用いたものであり、後述のとおりシガープラグ用シート１０をシガープラグ２０の円周面などに当接させている状態の構成である。
【００１７】
シガープラグ２０は、円筒状の本体部と、本体部の先端部に設けられた棒状のプラス電極と、本体部の中央部に対向するように設けられた一対のバネ状のマイナス電極を有しており、本体部は、先端部の先端面と、一対のマイナス電極の間の第１の円周面と前記第１の円周面に対向する第２の円周面を有している。
【００１８】
シート付シガープラグ２０Ａは、シガープラグ用シート１０の開口Ｋが、シガープラグ２０の棒状のプラス電極２０ａに嵌め込まれ、シート中央部１０ｃが先端面に当接し、第１のシート部１０ａが第１の円周面に当接し及び第２のシート部１０ｂが第２の円周面に当接した状態のものであり、このようなシート付シガープラグ２０Ａが、シガーソケットに嵌め込まれるように形成されている。
【００１９】
上記の構成を有するシガープラグ用シート１０及びこれを用いたシート付シガープラグ２０Ａは、シガーソケットに嵌め込まれた状態において自動車の振動などによって、シガープラグ２０が、シガーソケットから抜け落ち易いという問題を解決することができるものであり、シート付シガープラグ２０Ａが、シガーソケットにはめ込まれた状態において自動車の振動などでシガープラグがシガーソケットから抜け落ちないようにすることができる優れたものである。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案のシガープラグ用シート及びシート付シガープラグは、大きさや形状、素材の種類、厚さ、重さなどについては多様な実施形態が可能であり、それらについて本実施形態と異なる形態による実施は、本考案の技術的範囲に含まれる。
【符号の説明】
【００２２】
１０    シガープラグ用シート
１０ａ  第１のシート部
１０ｂ  第２のシート部
１０ｃ  シート中央部
２０    シガープラグ
２０Ａ  シート付シガープラグ
２０ａ  プラス電極
２０ｂ  マイナス電極
Ｋ      開口
Ｌ１    厚さ
Ｌ２    長手方向の長さ
Ｌ３    短手方向の長さ
Ｌ４    シート中央部の直径
Ｌ５    開口の直径
【図１】
0003223708.tif 000003
【図２】
0003223708.tif 000004